(57)【要約】      （修正有）【課題】射出金型のアンダーカット取出し装置の小型化及び生産工程の簡略化と生産性の向上によるコスト削減を提供。【解決手段】下原板と固定板１２０の間に構成されることで、一側が開放されるように形成される成形ホールと成形ホールの下側に連通されるように形成される収容ホール及びピンガイドホールが形成されたスライディング部が構成される下原板と、昇降作動により射出物を取出しするイジェクトピン２１０が固定設置されている突き出し板２２０と、突き出し板の両側に構成されて突き出し板の作動を支持するガイド軸２３０と、突き出し板の昇降作動によって往復運動が行われる駆動シャフト３１０と駆動シャフトの上側に結合されている成形ユニット３２０と駆動シャフトの下端に結合されて駆動シャフトの作動が行われるように弾性力を提供する動力提供手段３３０を含む成形コアを備えて行われる射出金型のアンダーカット取出し装置を提供する。【選択図】図２
2014233976.tif 000002
【特許請求の範囲】
【請求項１】
射出金型のアンダーカット取出し装置において、
一側が開放されるように形成される成形ホールとこの成形ホールの下側に連通されるように形成される収容ホール及びピンガイドホールが形成されたスライディング部が構成される下原板と、
昇降作動により射出物を取出しするイジェクトピンが固定設置されている突き出し板（Ｅｊｅｃｔｏｒ  Ｐｌａｔｅ）と、
前記突き出し板の両側に構成されてこの突き出し板の作動を支持するガイド軸と、
前記突き出し板の昇降作動によって往復運動が行われる駆動シャフトとこの駆動シャフトの上側に結合されている成形ユニットと前記駆動シャフトの下端に結合されてこの駆動シャフトの作動が行われるように所定の動力を提供する動力提供手段を含む成形コアを備えて行われる射出金型のアンダーカット取出し装置。
【請求項２】
前記イジェクトピンは下端が前記突き出し板に固定されるように固定部が形成されて、前記突き出し板の昇降作動によって前記下原板のピンガイドホールの内周に沿ってスライディング作動が行われて射出物のイジェクティングが行われるように構成されることを特徴とする請求項１に記載の射出金型のアンダーカット取出し装置。
【請求項３】
前記突き出し板は前記イジェクトピンの固定部が固定される固定ホールが形成されている第１突き出し板と、この第１突き出し板の下側に結合されて前記イジェクトピンの昇降作動を支持する第２突き出し板を備えることを特徴とする請求項１に記載の射出金型のアンダーカット取出し装置。
【請求項４】
前記突き出し板は両側に前記ガイド軸が貫通するように挿入される軸貫通ホールが形成されて、前記駆動シャフトが貫通し、この駆動シャフトの昇降作動及び左側または右側方向に移動可能な作動ホールが形成されたことを特徴とする請求項１に記載の射出金型のアンダーカット取出し装置。
【請求項５】
前記駆動シャフトは前記作動ホールに貫通するように挿入されて、円形または多角形状に形成されて、上端に前記成形ユニットと結合されてこの成形ユニットの作動を支持する角度調節部材が構成されて、下端には動力提供手段と結合する結合部が構成されることを特徴とする請求項４に記載の射出金型のアンダーカット取出し装置。
【請求項６】
前記駆動シャフトの外周には前記突き出し板の下端部を支持し、前記駆動シャフトが前記動力提供手段を通じて作動が行われるようにするストッパーが設置されたことを特徴とする請求項１に記載の射出金型のアンダーカット取出し装置。
【請求項７】
前記ストッパーは位置調節ができるように前記駆動シャフトの外周面にねじ山を形成し、このねじ山に締結されることを特徴とする請求項６に記載の射出金型のアンダーカット取出し装置。
【請求項８】
前記成形ユニットは前記成形ホールの内側に結合固定されて一端部が開口され、内側に突出形成される複数のガイド部材が形成されたユニットカバーと、このユニットカバーの内側に備えられて一面に前記ガイド部材が挿入設置されるガイドホールが形成されて、下端には前記角度調節部材が結合される調節溝が形成されたユニット本体を備えることを特徴とする請求項５に記載の射出金型のアンダーカット取出し装置。
【請求項９】
前記突き出し板はイジェクトピンが設置されて、動力提供手段が作動可能になるように、この動力提供手段のシリンダーが貫通する下部突き出し板と、
前記駆動シャフトが回転可能に結合されて、動力提供手段の上部が結合されて動力提供手段の作動によって駆動シャフトの昇降作動を支持する上部突き出し板で構成されることを特徴とする請求項１に記載の射出金型のアンダーカット取出し装置。
【発明の詳細な説明】
【技術分野】
【０００１】
本発明は射出金型のアンダーカット取出し装置に関するのである。もっと詳しくは、アンダーカットを持つ製品を射出成形する取出し装置の小型化が可能であり、これにより、アンダーカット取出し装置の製造コストを削減することができるし、ワンステップで製品の取出しが可能であることに基づいて、生産工程を簡略化できることは勿論、製品の生産性を最大化することができる射出金型のアンダーカット取出し装置に関するものである。
【背景技術】
【０００２】
一般的に、アンダーカットとは、成形機の型閉じや型開き方向の動きだけで射出物を排出しにくいぺこぺこな部分を言う。
【０００３】
このようなアンダーカットは成型品の外部にある場合と内部にある場合に仕分けされることができるのに、このアンダーカット部分によって製品の取出しが容易ではないだけでなく、アンダーカットが形成された部分で製品の取出し時に金型との接触や衝突によって製品に不良が発生したりした。
【０００４】
図１は従来技術による内側アンダーカット処理構造を持つ射出金型を示す図面である。
【０００５】
図示のように、従来技術による射出金型は大韓民国登録特許（登録番号第１０−０８３５６１５）として、キャビティブロック１１が形成されているキャビティプレート１と、コアブロック２１が形成されているコアプレート２を含み、コアプレート２の内側中央にイジェクトシャフト３１を対角線構造に挿入されるようにして下敷片４と一対のガイド片５によって作動案内されるようにする傾斜コア３からなる射出金型において、イジェクトシャフト３１が対角線構造に挿入される傾斜コア３の上面の一側に支持ブロック６１と固定ボルト６２で構成される傾斜支持部材６をさらに備えられるようにして、傾斜支持部材６をイジェクトシャフト３１右側のコアプレート２の上面の一側に着脱構造に取り付けられるように構成される。
【０００６】
しかし、従来技術による射出金型はアンダーカットの傾斜が大きくなるほど射出金型から製品の取出し時にアンダーカット部を成形するための傾斜コア３を製品から分離して製品を安全に金型から取出ししにくい問題点があった。
【０００７】
また、従来技術による射出金型は内部構造が複雑に構成されるによって射出金型装置の製作に多くの費用と時間が消費されて、部品数が多くて小型化が難しいだけでなく、様々な故障が発生される問題点があり、生産工程の複雑な問題点がある。
【先行技術文献】
【特許文献】
【０００８】
大韓民国登録特許第１０−０８３５６１５号（２００８．０５．３０）
【発明の概要】
【発明が解決しようとする課題】
【０００９】
このような問題点を解決するために、本発明は、アンダーカットを持つ製品を射出成形する取出し装置の小型化が可能であり、これにより、アンダーカット取出し装置の製造コストを削減することができるし、ワンステップで製品の取出しが可能であることに基づいて、生産工程を簡略化することができることは勿論、製品の生産性を最大化することができる射出金型のアンダーカット取出し装置を提供することにその目的がある。
【課題を解決するための手段】
【００１０】
このような課題を果たすための本発明は、射出金型のアンダーカット取出し装置において、一側が開放されるように形成される成形ホールとこの成形ホールの下側に連通されるように形成される収容ホール及びピンガイドホールが形成されたスライディング部が構成される下原板と、昇降作動により射出物を取出しするイジェクトピンが固定設置されている突き出し板と、前記突き出し板の両側に構成されてこの突き出し板の作動を支持するガイド軸と、前記突き出し板の昇降作動によって往復運動が行われる駆動シャフトとこの駆動シャフトの上側に結合されている成形ユニットと前記駆動シャフトの下端に結合されてこの駆動シャフトの作動が行われるように弾性力を提供する動力提供手段を含む成形コアを備えて行われる射出金型のアンダーカット取出し装置を提供する。
【００１１】
また、本発明において、前記イジェクトピンは下端が前記突き出し板に固定されるように固定部が形成されて、前記突き出し板の昇降作動によって前記下原板のピンガイドホールの内周に沿ってスライディング作動が行われて射出物のイジェクティングが行われるように構成されることを特徴とする射出金型のアンダーカット取出し装置を提供する。 
【００１２】
また、本発明において、前記突き出し板は前記イジェクトピンの固定部が固定される固定ホールが形成されている第１突き出し板と、この第１突き出し板の下側に結合されて前記イジェクトピンの昇降作動を支持する第２突き出し板を備えることを特徴とする射出金型のアンダーカット取出し装置を提供する。
【００１３】
また、本発明において、前記突き出し板は両側に前記ガイド軸が貫通するように挿入される軸貫通ホールが形成されて、前記駆動シャフトが貫通し、この駆動シャフトの昇降作動及び左側または右側方向に移動可能な作動ホールが形成されたことを特徴とする射出金型のアンダーカット取出し装置を提供する。
【００１４】
また、本発明において、前記駆動シャフトは前記作動ホールに貫通するように挿入されて、円形または多角形状に形成されて、上端に前記成形ユニットと結合されてこの成形ユニットの作動を支持する角度調節部材が構成されて、下端には動力提供手段と結合する結合部が構成されることを特徴とする射出金型のアンダーカット取出し装置を提供する。
【００１５】
また、本発明において、前記駆動シャフトの外周には前記突き出し板の下端部を支持し、この突き出し板の作動可否によって前記動力提供手段を圧縮または膨脹させて前記駆動シャフトが前記動力提供手段を通じて作動が行われるようにするストッパーが設置されたことを特徴とする射出金型のアンダーカット取出し装置を提供する。
【００１６】
また、本発明において、前記成形ユニットは前記成形ホールの内側に結合固定されて一端部が開口され、内側に突出形成される複数のガイド部材が形成されたユニットカバーと、このユニットカバーの内側に備えられて一面に前記ガイド部材が挿入設置されるガイドホールが形成されて、下端には前記角度調節部材が結合される調節溝が形成されたユニット本体を備える射出金型のアンダーカット取出し装置を提供する。
【００１７】
また、本発明において、前記突き出し板はイジェクトピンが設置されて、動力提供手段が作動可能になるように、この動力提供手段のシリンダーが貫通する下部突き出し板と、前記駆動シャフトが回転可能に結合されて、動力提供手段の上部が結合されて動力提供手段の作動によって駆動シャフトの昇降作動を支持する上部突き出し板で構成されることを特徴とする射出金型のアンダーカット取出し装置を提供する。
【発明の効果】
【００１８】
このような本発明によると、射出金型から製品の取出し時にアンダーカット部が形成された製品を安全に金型から取出しすることができる効果がある。
【００１９】
また、本発明によると、アンダーカットを持つ製品を射出成形して取出しする装置の構造の小型化が可能であり、これにより、製造コストを削減することができるし、生産工程の簡略化及び生産性を向上することができる効果がある。
【図面の簡単な説明】
【００２０】
【図１】従来技術によるアンダーカット取出し装置を示す図面、
【図２】本発明の好ましい第１実施例による射出金型のアンダーカット取出し装置を概略的に示す斜視図、
【図３】本発明の好ましい第１実施例による射出金型のアンダーカット取出し装置を概略的に示す斜視図、
【図４】本発明の好ましい第１実施例による射出金型のアンダーカット取出し装置を示す断面図、
【図５ａ】本発明の好ましい第１実施例による射出金型のアンダーカット取出し装置の中で成形ユニットを示す要部拡大図、
【図５ｂ】本発明の好ましい第１実施例による射出金型のアンダーカット取出し装置の中で成形ユニットを示す要部拡大図、
【図６ａ】本発明の好ましい第１実施例による射出金型のアンダーカット取出し装置のストッパーを示す図面、
【図６ｂ】本発明の好ましい第１実施例による射出金型のアンダーカット取出し装置のストッパーを示す図面、
【図７】本発明の好ましい第１実施例による射出金型のアンダーカット取出し装置を示す作動状態図、
【図８】本発明の好ましい第１実施例による射出金型のアンダーカット取出し装置を示す作動状態図、
【図９】本発明の好ましい第２実施例による射出金型のアンダーカット取出し装置を示す断面図、
【図１０】本発明の好ましい第２実施例による射出金型のアンダーカット取出し装置を示す作動状態図である。
【発明を実施するための形態】
【００２１】
以下、本発明の好ましい実施例を添付された図面を参照して詳しく説明する。まず各図面の構成要素に参照符号を付加することにおいて、等しい構成要素については、たとえ他の図面上に表示されてもできるだけ等しい符号を持つようにしていることに留意しなければならない。また、本発明を説明することにおいて、係わる公知の構成または機能に対する具体的な説明が本発明の要旨を濁すことができると判断される場合には、その詳細な説明は略する。 
【００２２】
図２及び図３は本発明の好ましい第１実施例による射出金型のアンダーカット取出し装置を概略的に示す斜視図、図４は本発明の好ましい第１実施例による射出金型のアンダーカット取出し装置を示す断面図、図５ａ及び図５ｂは本発明の好ましい第１実施例による射出金型のアンダーカット取出し装置の中で成形ユニットを示す要部拡大図、図６ａ及び図６ｂは本発明の好ましい第１実施例による射出金型のアンダーカット取出し装置のストッパーを示す図面、図７及び図８は本発明の好ましい第１実施例による射出金型のアンダーカット取出し装置を示す作動状態図である。
【００２３】
図示されたように、本発明のアンダーカット取出し装置２００はアンダーカットを持つ射出物の安全で容易い取出しが可能になるように下原板１１０と固定板１２０の間に構成されることで、昇降作動によって射出物を取出しするイジェクトピン２１０、イジェクトピン２１０が固定設置される突き出し板２２０、突き出し板２２０の両側に構成されてこの突き出し板２２０の作動を支持するガイド軸２３０及びイジェクトピン２１０の作動によって上向きのスライディング作動が行われてアンダーカットが形成された射出物を取出しする成形コア３００を備えて構成される。
【００２４】
ここで、下原板１１０は可動側金型の上部を成して、射出物の内側部を成形する構成要素として、射出物の取出しのために作動が行われるアンダーカット取出し装置２００の上側部の構成要素が上、下スライディング作動が可能に挿入及び設置が行われるスライディング部１３０が構成される。
【００２５】
スライディング部１３０は後述するアンダーカット取出し装置２００の成形コア３００が設置されて、一側が開放されるように形成されて射出物のアンダーカット部の形成が行われるようにする成形ホール１３２と、この成形ホール１３２の下側に連通するように形成されて、成形コア３００の駆動シャフト３１０が貫通して昇降作動が行われるように収容ホール１３４が形成される。
【００２６】
また、下原板１１０のスライディング部１３０はアンダーカット取出し装置２００に構成されたイジェクトピン２１０が貫通するように挿入されて昇降作動ができるようにするピンガイドホール１３６が形成される。
【００２７】
一方、アンダーカット取出し装置２００のイジェクトピン２１０は下端が突き出し板２２０に固定されるように固定部２１２が形成されて、突き出し板２２０の昇降作動によって下原板１１０のピンガイドホール１３６の内周に沿ってスライディング作動が行われて射出物のイジェクティングが行われるように構成される。
【００２８】
突き出し板２２０はイジェクトピン２１０の昇降作動が行われるように構成されることで、下原板１１０のピンガイドホール１３６と同一中心線上に位置し、イジェクトピン２１０の固定部２１２が固定される固定ホール２２２ａが形成されている第１突き出し板２２２と、この第１突き出し板２２２の下側に結合されてイジェクトピン２１０の昇降作動を支持する第２突き出し板２２４で構成される。
【００２９】
このような突き出し板２２０は両側にガイド軸２３０が貫通するように挿入される軸貫通ホール２２８が形成されて、成形コア３００の駆動シャフト３１０が貫通し、この駆動シャフト３１０の昇降作動及び左側または右側方向に所定の角度だけに、移動できるように作動ホール２２６が形成される。
【００３０】
ガイド軸２３０は突き出し板２２０の軸貫通ホール２２８に設置されて、この突き出し板２２０のスライド方向を案内することで、突き出し板２２０の直進性を維持するようにする役目をする構成要素である。
【００３１】
このようなガイド軸２３０はその上端及び下端がそれぞれ下原板１１０及び固定板１２０にそれぞれ固定結合されて突き出し板２２０の昇降作動を支持するように構成されることである。
【００３２】
一方、本発明の成形コア３００はイジェクトピン２１０の昇降作動が行われる時、射出物のアンダーカット部の取出しが行われるようにイジェクトピン２１０と一緒に昇降作動が行われる構成要素である。
【００３３】
このような成形コア３００は突き出し板２２０の作動ホール２２６を貫通し、この突き出し板２２０の昇降作動によって往復運動が行われる駆動シャフト３１０と、この駆動シャフト３１０の上側に結合されて、射出物のアンダーカット成形及び取出しが行われるように構成された成形ユニット３２０と、固定板１２０に設置されて、駆動シャフト３１０の下端に結合されてこの駆動シャフト３１０の作動が行われるように所定の弾性力を提供する動力提供手段３３０を備えて構成される。
【００３４】
駆動シャフト３１０は作動ホール２２６に貫通するように挿入されて、円形または多角形状に形成されて、上端に成形ユニット３２０と結合されてこの成形ユニット３２０の作動を支持する角度調節部材３１２が構成されて、下端には動力提供手段３３０と結合する結合部３１４が構成される。
【００３５】
また、駆動シャフト３１０の外周には突き出し板２２０の下端部を支持し、この突き出し板２２０の作動可否によって動力提供手段３３０を圧縮または膨脹させて駆動シャフト３１０が動力提供手段３３０を通じて作動が行われるようにするストッパー３１３が設置される。
【００３６】
すなわち、ストッパー３１３は突き出し板２２０の下降作動の時に第２突き出し板２２４によって下向き移動しながら駆動シャフト３１０も、ストッパー３１３によって下向き移動が行われるようにして駆動シャフト３１０の下端に構成された動力提供手段３３０の圧縮が行われるようにすることである。
【００３７】
また、突き出し板２２０の昇降作動が行われると、圧縮された状態の動力提供手段３３０が弾性復元力によって膨脹が行われるようになって、これにより、駆動シャフト３１０が上向き移動が行われながら成形ユニット３２０の作動が行われるようにすることで、イジェクトピン２１０及び成形ユニット３２０を通じて射出物のアンダーカット部が形成された製品を安全に金型から取出しすることができるのである。
【００３８】
このようなストッパー３１３は駆動シャフト３１０を支持する役目をすることと同時に、突き出し板２２０のスライディング間隔を制御することができる。
【００３９】
すなわち、図６ｂの図示のように、駆動シャフト３１０の外周に沿ってねじ山を形成して、このねじ山にストッパー３１３が締結されるように構成することで、ストッパー３１３の位置を調節することによってこのストッパー３１３と接触する突き出し板２２０のスライディング範囲を制限することによって、突き出し板２２０が下原板１１０及び固定板１２０に衝突して破損されることを防止することができるようになる。
【００４０】
成形ユニット３２０は成形ホール１３２の内側に結合固定されて一端部が開口されて、内側に突出形成される複数のガイド部材４１２が形成されたユニットカバー４１０と、このユニットカバー４１０の内側に備えられ、駆動シャフト３１０の昇降作動によって連動するように一面にガイド部材４１２が挿入設置されるガイドホール４２２が形成されて下端には角度調節部材３１２が結合される調節溝４２４が形成されたユニット本体４２０を備えて構成される。
【００４１】
ここで、ユニットカバー４１０は成形ホール１３２の内側に突出形成された締結手段３０４と結合固定されることによって堅固な結合力が維持されてユニット本体４２０の昇降作動によって流動されることが防止されることができる。
【００４２】
そして、ユニット本体４２０はガイドホール４２２の内側にガイド部材４１２が挿入されることによって駆動シャフト３１０の昇降作動の時、ユニット本体４２０がガイドホール４２２の内側面に沿って上向きスライド作動するようになる。
【００４３】
例えば、ガイドホール４２２はガイド部材４１２を基準にガイドホール４２２の内側面に沿ってユニット本体４２０が垂直方向または斜線方向にスライディングするように案内することができる。
【００４４】
また、ユニット本体４２０はガイドホール４２２の内側面に沿ってスライディング移動の時、調節溝４２４の内側面が半球形に形成されることによってユニット本体４２０のスライディング方向によって駆動シャフト３１０が偏心されても駆動シャフト３１０とユニット本体４２０の間の堅固な結合が維持されてスライディング方向によって流動することができる。
【００４５】
したがって、成形ユニット３２０は射出物のアンダーカット部によってスライディングしてアンダーカットが形成された射出物の不良や破損率を最小化して容易く取出しすることができる。
【００４６】
一方、本発明の第２実施例による射出金型のアンダーカット取出し装置２００は図９及び図１０の図示のように、昇降作動によって射出物を取出しするイジェクトピン２１０が固定設置される突き出し板２２０、突き出し板２２０の昇降作動によって往復運動が行われる駆動シャフト３１０と、この駆動シャフト３１０の上側に結合された成形ユニット３２０と、駆動シャフト３１０の下端に結合されてこの駆動シャフト３１０の作動が行われるように所定の動力を提供する動力提供手段３３０を含む成形コア３００を備えて構成される。
【００４７】
ここで、突き出し板２２０はイジェクトピン２１０が設置されて、動力提供手段３３０が作動できるようにこの動力提供手段３３０のシリンダーが貫通する下部突き出し板５２２及び動力提供手段３３０の上部が結合されて、駆動シャフト３１０が動力提供手段３３０の作動によって昇降できるように作動ホール２２６が形成された上部突き出し板５２４に複数構成されることである。
【００４８】
すなわち、下部突き出し板５２２は動力提供手段３３０のシリンダーの下側部に支持されて、このシリンダーの作動によって昇降されながらイジェクトピン２１０の昇降作動を支持するように構成されて、上部突き出し板５２４は駆動シャフト３１０が回転可能に結合されて動力提供手段３３０の作動によって駆動シャフト３１０の昇降作動及び回転を支持する構成要素である。
【００４９】
このように構成された本発明は下原板１１０と固定板１２０の間に構成されることで、スライディング部１３０が構成された下原板１１０とイジェクトピン２１０が固定設置される突き出し板２２０とこの突き出し板２２０の両側に構成されるガイド軸２３０及び成形コア３００を備えることで、金型の型閉じによって突き出し板２２０及び成形ユニット３２０が下降作動してアンダーカットが形成された射出物が成形されて、金型の型開きによって突き出し板２２０が昇降作動してイジェクトピン２１０が射出物を押して取出しするようにして、ユニット本体４２０のスライド作動によって射出物のアンダーカットの傾斜が大きくなっても射出物を安全に金型から取出しすることができるし、射出金型の内部構造が簡単で費用と時間が節約されて、部品数が少なくて小型化が容易であり、こまごまとした故障が少なく、装置の製造コストが安く、生産工程が簡単になって製品のコストを削減することができる発明である。
【００５０】
以上の説明は本発明の技術思想を例示的に説明したことに過ぎないこととして、本発明が属する技術分野で通常の知識を有する者であれば、本発明の本質的な特性から外れない範囲で様々な修正や変形が可能である。したがって、本発明に開示された実施例は、本発明の技術思想を限定するためではなく説明するためのことであり、このような実施例によって本発明の技術思想の範囲が限定されることではない。本発明の保護範囲は以下の請求範囲によって解釈されなければならないし、それと同等の範囲内にあるすべての技術思想は、本発明の権利範囲に含まれることに解釈されなければならない。
【符号の説明】
【００５１】
１１０  下原板
１２０  固定板
１３０  スライディング部
１３２  成形ホール
１３４  収容ホール
１３６  ピンガイドホール
２１０  イジェクトピン
２１２  固定部
２２０  突き出し板
２２２  第１突き出し板
２２２ａ  固定ホール
２２４  第２突き出し板
２２６  作動ホール
２２８  軸貫通ホール
２３０  ガイド軸
３００  成形コア
３０４  締結手段
３１０  駆動シャフト
３１２  角度調節部材
３１３  ストッパー
３１４  結合部
３２０  成形ユニット
３３０  動力提供手段
４１０  ユニットカバー
４１２  ガイド部材
４２２  ガイドホール
【図１】
2014233976.tif 000003
【図２】
2014233976.tif 000004
【図３】
2014233976.tif 000005
【図４】
2014233976.tif 000006
【図５ａ】
2014233976.tif 000007
【図５ｂ】
2014233976.tif 000008
【図６ａ】
2014233976.tif 000009
【図６ｂ】
2014233976.tif 000010
【図７】
2014233976.tif 000011
【図８】
2014233976.tif 000012
【図９】
2014233976.tif 000013
【図１０】
2014233976.tif 000014